【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
サブ１ＧＨｚ帯域で受信されたデータの確認応答を送信する方法であって、
デバイスにおいて、複数のワイヤレス通信デバイスを識別する情報を受信することと、
前記デバイスが前記識別された複数のワイヤレス通信デバイスのうちの１つであることを判断することと、
前記デバイスにおいて、前記判断することに基づいて、前記デバイスに送信されたデータが正しく受信されたかどうかの確認応答を送信することと
を備える、方法。
【請求項２】
前記情報がグループ識別子を備える、請求項１に記載の方法。
【請求項３】
複数のワイヤレス通信デバイスを識別する前記情報が、前記デバイスに関連するワイヤレス通信デバイスのサブセットを識別する情報を備える、請求項１に記載の方法。
【請求項４】
前記確認応答がブロック確認応答を備える、請求項１に記載の方法。
【請求項５】
前記確認応答が複数の確認応答サブユニットを備える、請求項１に記載の方法。
【請求項６】
サブ１ＧＨｚ帯域で送信されたデータの確認応答を受信する方法であって、
複数のワイヤレス通信デバイスの各々に、前記複数のワイヤレス通信デバイスのサブセットを識別する情報を送信することと、
前記複数のワイヤレス通信デバイスの前記サブセットの各々にデータを送信することであって、前記サブセットの第１のワイヤレス通信デバイスに送信される前記データの少なくとも一部分が、前記サブセットの第２のワイヤレス通信デバイスに送信される前記データの少なくとも一部分と並行して送信される、送信することと、
前記複数のワイヤレス通信デバイスの前記サブセットの各々から、そのワイヤレス通信デバイスに送信された前記データの確認応答を受信することと
を備える、方法。
【請求項７】
前記複数のワイヤレス通信デバイスのサブセットを識別する前記情報がグループ識別子を備える、請求項６に記載の方法。
【請求項８】
前記複数のワイヤレス通信デバイスのサブセットを識別する前記情報が、特定のワイヤレス通信デバイスに関連するワイヤレス通信デバイスのサブセットを識別する情報を備える、請求項６に記載の方法。
【請求項９】
前記複数のワイヤレス通信デバイスの前記サブセットの各々にデータを送信することが、前記複数のワイヤレス通信デバイスの前記サブセットの各々にデータを同時に送信することを備える、請求項６に記載の方法。
【請求項１０】
前記受信された確認応答のうちの少なくとも１つがブロック確認応答を備える、請求項６に記載の方法。
【請求項１１】
前記受信された確認応答のうちの少なくとも１つが複数の確認応答サブユニットを備える、請求項６に記載の方法。
【請求項１２】
前記受信された確認応答に基づいて、前記複数のワイヤレス通信デバイスの前記サブセットにデータを選択的に再送信することをさらに備える、請求項６に記載の方法。
【請求項１３】
サブ１ＧＨｚ帯域で受信されたデータの確認応答を送信するための装置であって、
複数のワイヤレス通信デバイスを識別する情報を受信するための手段と、
前記装置が前記識別された複数のワイヤレス通信デバイスのうちの１つであることを判断するための手段と、
前記判断することに基づいて、前記装置に送信されたデータが正しく受信されたかどうかの確認応答を送信するための手段と
を備える、装置。
【請求項１４】
サブ１ＧＨｚ帯域で送信されたデータの確認応答を受信するための装置であって、
複数のワイヤレス通信デバイスの各々に、前記複数のワイヤレス通信デバイスのサブセットを識別する情報を送信するための手段と、
前記複数のワイヤレス通信デバイスの前記サブセットの各々にデータを送信するための手段であって、前記サブセットの第１のワイヤレス通信デバイスに送信される前記データの少なくとも一部分が、前記サブセットの第２のワイヤレス通信デバイスに送信される前記データの少なくとも一部分と並行して送信される、送信するための手段と、
前記複数のワイヤレス通信デバイスの前記サブセットの各々から、そのワイヤレス通信デバイスに送信された前記データの確認応答を受信するための手段と
を備える、装置。
【請求項１５】
実行されたときに、少なくとも１つのコンピュータに請求項１乃至１２のうちの１つにしたがって方法を実行させるための実行可能な命令を備える、コンピュータプログラム。
【手続補正２】
【補正対象書類名】明細書
【補正対象項目名】００８６
【補正方法】変更
【補正の内容】
【００８６】
[0095]  上記は本開示の態様を対象とするが、本開示の他の態様およびさらなる態様は、それらの基本的範囲から逸脱することなく考案され得、それらの範囲は以下の特許請求の範囲によって判断される。
なお、本願の出願当初の請求項と同一の記載を以下に付記する。
［Ｃ１］ 受信されたデータの確認応答を送信する方法であって、
デバイスにおいて、複数のワイヤレス通信デバイスを識別する情報を受信することと、
前記デバイスが前記識別された複数のワイヤレス通信デバイスのうちの１つであることを判断することと、
前記デバイスにおいて、前記判断することに基づいて、前記デバイスに送信されたデータが正しく受信されたかどうかの確認応答を送信することと
を備える、方法。
［Ｃ２］ 前記情報がグループ識別子を備える、Ｃ１に記載の方法。
［Ｃ３］ 複数のワイヤレス通信デバイスを識別する前記情報が、前記デバイスに関連するワイヤレス通信デバイスのサブセットを識別する情報を備える、Ｃ１に記載の方法。
［Ｃ４］ 前記確認応答がブロック確認応答を備える、Ｃ１に記載の方法。
［Ｃ５］ 前記確認応答が複数の確認応答サブユニットを備える、Ｃ１に記載の方法。
［Ｃ６］ 前記デバイスに送信されたデータを受信することをさらに備える、Ｃ１に記載の方法。
［Ｃ７］ 送信されたデータの確認応答を受信する方法であって、
複数のワイヤレス通信デバイスの各々に、前記複数のワイヤレス通信デバイスのサブセットを識別する情報を送信することと、
前記複数のワイヤレス通信デバイスの前記サブセットの各々にデータを送信することであって、前記サブセットの第１のワイヤレス通信デバイスに送信される前記データの少なくとも一部分が、前記サブセットの第２のワイヤレス通信デバイスに送信される前記データの少なくとも一部分と並行して送信される、送信することと、
前記複数のワイヤレス通信デバイスの前記サブセットの各々から、そのワイヤレス通信デバイスに送信された前記データの確認応答を受信することと
を備える、方法。
［Ｃ８］ 前記複数のワイヤレス通信デバイスのサブセットを識別する前記情報がグループ識別子を備える、Ｃ７に記載の方法。
［Ｃ９］ 前記複数のワイヤレス通信デバイスのサブセットを識別する前記情報が、特定のワイヤレス通信デバイスに関連するワイヤレス通信デバイスのサブセットを識別する情報を備える、Ｃ７に記載の方法。
［Ｃ１０］ 前記複数のワイヤレス通信デバイスの前記サブセットの各々にデータを送信することが、前記複数のワイヤレス通信デバイスの前記サブセットの各々にデータを同時に送信することを備える、Ｃ７に記載の方法。
［Ｃ１１］ 前記受信された確認応答のうちの少なくとも１つがブロック確認応答を備える、Ｃ７に記載の方法。
［Ｃ１２］ 前記受信された確認応答のうちの少なくとも１つが複数の確認応答サブユニットを備える、Ｃ７に記載の方法。
［Ｃ１３］ 前記受信された確認応答のうちの少なくとも１つは、特定のワイヤレス通信デバイスに送信された前記データの少なくとも一部分が正しく受信されたかどうかを示す、Ｃ７に記載の方法。
［Ｃ１４］ 前記受信された確認応答に基づいて、前記複数のワイヤレス通信デバイスの前記サブセットにデータを選択的に再送信することをさらに備える、Ｃ７に記載の方法。
［Ｃ１５］ 受信されたデータの確認応答を送信するための装置であって、
複数のワイヤレス通信デバイスを識別する情報を受信するように構成された受信機と、
前記装置が前記識別された複数のワイヤレス通信デバイスのうちの１つであることを判断するように構成されたプロセッサと、
前記判断することに基づいて、前記装置に送信されたデータが正しく受信されたかどうかの確認応答を送信するように構成された送信機と
を備える、装置。
［Ｃ１６］ 複数のワイヤレス通信デバイスを識別する情報がグループ識別子を備える、Ｃ１５に記載の装置。
［Ｃ１７］ 複数のワイヤレス通信デバイスを識別する前記情報が、前記装置に関連するワイヤレス通信デバイスのサブセットを識別する情報を備える、Ｃ１５に記載の装置。
［Ｃ１８］ 前記送信された確認応答がブロック確認応答を備える、Ｃ１５に記載の装置。
［Ｃ１９］ 前記送信された確認応答が、複数の確認応答サブユニットを備える確認応答を備える、Ｃ１５に記載の装置。
［Ｃ２０］ 前記受信機が前記データを受信するようにさらに構成された、Ｃ１５に記載の装置。
［Ｃ２１］ 送信されたデータの確認応答を受信するための装置であって、
複数のワイヤレス通信デバイスの各々に、前記複数のワイヤレス通信デバイスのサブセットを識別する情報を送信し、前記複数のワイヤレス通信デバイスの前記サブセットの各々にデータを送信するように構成された送信機であって、前記サブセットの第１のワイヤレス通信デバイスに送信される前記データの少なくとも一部分が、前記サブセットの第２のワイヤレス通信デバイスに送信される前記データの少なくとも一部分と並行して送信される、送信機と、
前記複数のワイヤレス通信デバイスの前記サブセットの各々から、そのワイヤレス通信デバイスに送信された前記データの確認応答を受信するように構成された受信機と
を備える、装置。
［Ｃ２２］ 前記複数のワイヤレス通信デバイスのサブセットを識別する前記情報がグループ識別子を備える、Ｃ２１に記載の装置。
［Ｃ２３］ 前記複数のワイヤレス通信デバイスのサブセットを識別する前記情報が、特定のワイヤレス通信デバイスに関連するワイヤレス通信デバイスのサブセットを識別する情報を備える、Ｃ２１に記載の装置。
［Ｃ２４］ 前記送信機が、前記複数のワイヤレス通信デバイスの前記サブセットの各々にデータを同時に送信するように構成された、Ｃ２１に記載の装置。
［Ｃ２５］ 前記受信された確認応答のうちの少なくとも１つがブロック確認応答を備える、Ｃ２１に記載の装置。
［Ｃ２６］ 前記受信された確認応答のうちの少なくとも１つが複数の確認応答サブユニットを備える、Ｃ２１に記載の装置。
［Ｃ２７］ 前記受信された確認応答のうちの少なくとも１つは、特定のワイヤレス通信デバイスに送信された前記データの少なくとも一部分が正しく受信されたかどうかを示す、Ｃ２１に記載の装置。
［Ｃ２８］ 前記送信機が、前記受信された確認応答に基づいて、前記複数のワイヤレス通信デバイスの前記サブセットにデータを選択的に再送信するようにさらに構成された、Ｃ２１に記載の装置。
［Ｃ２９］ 受信されたデータの確認応答を送信するための装置であって、
複数のワイヤレス通信デバイスを識別する情報を受信するための手段と、
前記装置が前記識別された複数のワイヤレス通信デバイスのうちの１つであることを判断するための手段と、
前記判断することに基づいて、前記装置に送信されたデータが正しく受信されたかどうかの確認応答を送信するための手段と
を備える、装置。
［Ｃ３０］ 複数のワイヤレス通信デバイスを識別する前記情報がグループ識別子を備える、Ｃ２９に記載の装置。
［Ｃ３１］ 複数のワイヤレス通信デバイスを識別する前記情報が、前記装置に関連するワイヤレス通信デバイスのサブセットを識別する情報を備える、Ｃ２９に記載の装置。
［Ｃ３２］ 前記確認応答がブロック確認応答を備える、Ｃ２９に記載の装置。
［Ｃ３３］ 前記確認応答が複数の確認応答サブユニットを備える、Ｃ２９に記載の装置。
［Ｃ３４］ 前記装置に送信されたデータを受信するための手段をさらに備える、Ｃ２９に記載の装置。
［Ｃ３５］ 送信されたデータの確認応答を受信するための装置であって、
複数のワイヤレス通信デバイスの各々に、前記複数のワイヤレス通信デバイスのサブセットを識別する情報を送信するための手段と、
前記複数のワイヤレス通信デバイスの前記サブセットの各々にデータを送信するための手段であって、前記サブセットの第１のワイヤレス通信デバイスに送信される前記データの少なくとも一部分が、前記サブセットの第２のワイヤレス通信デバイスに送信される前記データの少なくとも一部分と並行して送信される、送信するための手段と、
前記複数のワイヤレス通信デバイスの前記サブセットの各々から、そのワイヤレス通信デバイスに送信された前記データの確認応答を受信するための手段と
を備える、装置。
［Ｃ３６］ 前記複数のワイヤレス通信デバイスのサブセットを識別する前記情報がグループ識別子を備える、Ｃ３５に記載の装置。
［Ｃ３７］ 前記複数のワイヤレス通信デバイスのサブセットを識別する前記情報が、特定のワイヤレス通信デバイスに関連するワイヤレス通信デバイスのサブセットを識別する情報を備える、Ｃ３５に記載の装置。
［Ｃ３８］ 前記複数のワイヤレス通信デバイスの前記サブセットの各々にデータを送信するための前記手段が、前記複数のワイヤレス通信デバイスの前記サブセットの各々にデータを同時に送信するための手段を備える、Ｃ３５に記載の装置。
［Ｃ３９］ 前記受信された確認応答のうちの少なくとも１つがブロック確認応答を備える、Ｃ３５に記載の装置。
［Ｃ４０］ 前記受信された確認応答のうちの少なくとも１つが複数の確認応答サブユニットを備える、Ｃ３５に記載の装置。
［Ｃ４１］ 前記受信された確認応答のうちの少なくとも１つは、特定のワイヤレス通信デバイスに送信された前記データの少なくとも一部分が正しく受信されたかどうかを示す、Ｃ３５に記載の装置。
［Ｃ４２］ 前記受信された確認応答に基づいて、前記複数のワイヤレス通信デバイスの前記サブセットにデータを選択的に再送信するための手段をさらに備える、Ｃ３５に記載の装置。
［Ｃ４３］ 実行されたとき、装置に、
複数のワイヤレス通信デバイスを識別する情報を受信することと、
前記装置が前記識別された複数のワイヤレス通信デバイスのうちの１つであることを判断することと、
前記判断することに基づいて、前記装置に送信されたデータが正しく受信されたかどうかの確認応答を送信することと
を行わせる命令を備えるコンピュータ可読媒体。
［Ｃ４４］ 複数のワイヤレス通信デバイスを識別する前記情報がグループ識別子を備える、Ｃ４３に記載のコンピュータ可読媒体。
［Ｃ４５］ 複数のワイヤレス通信デバイスを識別する前記情報が、前記装置に関連するワイヤレス通信デバイスのサブセットを識別する情報を備える、Ｃ４３に記載のコンピュータ可読媒体。
［Ｃ４６］ 前記送信された確認応答がブロック確認応答を備える、Ｃ４３に記載のコンピュー
タ可読媒体。
［Ｃ４７］ 前記送信された確認応答が複数の確認応答サブユニットを備える、Ｃ４３に記載のコンピュータ可読媒体。
［Ｃ４８］ 実行されたとき、前記装置に送信されたデータを前記装置に受信させる命令をさらに備える、Ｃ４３に記載のコンピュータ可読媒体。
［Ｃ４９］ 実行されたとき、
複数のワイヤレス通信デバイスの各々に、前記複数のワイヤレス通信デバイスのサブセットを識別する情報を送信することと、
前記複数のワイヤレス通信デバイスの前記サブセットの各々にデータを送信することであって、前記サブセットの第１のワイヤレス通信デバイスに送信される前記データの少なくとも一部分が、前記サブセットの第２のワイヤレス通信デバイスに送信される前記データの少なくとも一部分と並行して送信される、送信することと、
前記複数のワイヤレス通信デバイスの前記サブセットの各々から、そのワイヤレス通信デバイスに送信された前記データの確認応答を受信することと
を装置に行わせる命令を備えるコンピュータ可読媒体。
［Ｃ５０］ 前記複数のワイヤレス通信デバイスのサブセットを識別する前記情報がグループ識別子を備える、Ｃ４９に記載のコンピュータ可読媒体。
［Ｃ５１］ 前記複数のワイヤレス通信デバイスのサブセットを識別する前記情報が、特定のワイヤレス通信デバイスに関連するワイヤレス通信デバイスのサブセットを識別する情報を備える、Ｃ４９に記載のコンピュータ可読媒体。
［Ｃ５２］ 前記送信されたデータが、前記複数のワイヤレス通信デバイスの前記サブセットの各々に同時に送信される、Ｃ４９に記載のコンピュータ可読媒体。
［Ｃ５３］ 前記受信された確認応答のうちの少なくとも１つがブロック確認応答を備える、Ｃ４９に記載のコンピュータ可読媒体。
［Ｃ５４］ 前記受信された確認応答のうちの少なくとも１つが複数の確認応答サブユニットを備える、Ｃ４９に記載のコンピュータ可読媒体。
［Ｃ５５］ 前記受信された確認応答のうちの少なくとも１つは、特定のワイヤレス通信デバイスに送信された前記データの少なくとも一部分が正しく受信されたかどうかを示す、Ｃ４９に記載のコンピュータ可読媒体。
［Ｃ５６］ 実行されたとき、前記装置に、前記受信された確認応答に基づいて、前記複数のワイヤレス通信デバイスの前記サブセットにデータを選択的に再送信させる命令をさらに備える、Ｃ４９に記載のコンピュータ可読媒体。